(57)【特許請求の範囲】
【請求項１】
記録再生可能なデータ領域を有して片側又は両側を所定の周波数でウォブル（蛇行）したグルーブと、隣り合う前記グルーブ間に位置したランドとを対にしたトラックがディスク基板上で螺旋状又は同心円状に形成され、且つ、前記ランド上には前記グルーブに記録するデータへのアドレス情報などがランドプリピットとして所定の間隔を保って予め形成されている光ディスクを用いて、前記データを前記グルーブに記録するための記録クロックを生成する記録クロック生成方法において、
前記光ディスクに記録用のビームスポットを照射して該光ディスクで反射された反射光を光電変換した信号から前記ウォブルによるウォブル信号を抽出する第１ステップと、
前記光ディスクに記録用のビームスポットを照射して該光ディスクで反射された前記反射光を光電変換した信号から前記ランドプリピットによるランドプリピット信号を抽出する第２ステップと、
前記ウォブル信号の位相と同相のウォブル位相データを生成して出力すると共に、前記ウォブル信号に同期した矩形のランドプリピットゲート信号を生成して出力する第３ステップと、
前記記録クロックを第１の所定数繰り返してカウントする第１のカウントデータを前記ウォブル位相データが出力されるタイミングでウォブルカウントデータとして出力する第４ステップと、
前記ウォブル位相データと前記ウォブルカウントデータとの位相差を演算し、ウォブル位相誤差データを出力する第５ステップと、
前記ランドプリピットゲート信号に基づいて、前記ランドプリピット信号からランドプリピットデータを生成し、このランドプリピットデータの中から特定のパターンを有するシンクビットを検出してシンクビットゲート信号を出力する第６ステップと、
前記シンクビットゲート信号中に前記シンクビットが出現した時に、前記記録クロックを前記第１の所定数をｎ倍した第２の所定数繰り返してカウントする第２のカウントデータをシンクビットカウントデータとして出力すると共に、前記シンクビットの位相を示すシンクビット位相取得信号を出力する第７ステップと、
前記シンクビットカウントデータと前記シンクビット位相取得信号との位相差が０となるように演算を行って、シンクビット位相誤差データを出力する第８ステップと、
前記ウォブル位相誤差データをフィルタリングして高域操作量データを得る第９ステップと、
前記シンクビット位相誤差データをフィルタリングして低域操作量データを得る第１０ステップと、
前記高域操作量データと前記低域操作量データとを加算した後の操作量データから前記記録クロックを生成する第１１ステップとを含み、
前記第６ステップにおいて前記ランドプリピットデータの中から前記シンクビットを除いてアドレス情報を検出し、且つ、前記第７ステップにおいて出力される前記シンクビットカウントデータのカウントが０のタイミングでデータ記録開始／データ記録終了を決めるためのタイミングパルスを生成して出力し、前記アドレス情報が入力されたデータ記録開始アドレス／データ記録終アドレスに一致した結果と、前記データ記録開始／データ記録終了のタイミングパルスとにより前記データの記録開始／記録終了を行うことを特徴とする記録クロック生成方法。
【請求項２】
記録再生可能なデータ領域を有して片側又は両側を所定の周波数でウォブル（蛇行）したグルーブと、隣り合う前記グルーブ間に位置したランドとを対にしたトラックがディスク基板上で螺旋状又は同心円状に形成され、且つ、前記ランド上には前記グルーブに記録するデータへのアドレス情報などがランドプリピットとして所定の間隔を保って予め形成されている光ディスクを用いて、電圧可変発振器から出力される記録クロックにより、前記データを前記グルーブに記録する光ディスク装置において、
前記光ディスクに記録用のビームスポットを照射して該光ディスクで反射された反射光を光電変換した信号から前記ウォブルによるウォブル信号を抽出するウォブル信号抽出手段と、
前記光ディスクに記録用のビームスポットを照射して該光ディスクで反射された前記反射光を光電変換した信号から前記ランドプリピットによるランドプリピット信号を抽出するランドプリピット信号抽出手段と、
前記ウォブル信号の位相と同相のウォブル位相データを生成して出力すると共に、前記ウォブル信号に同期した矩形のランドプリピットゲート信号を生成して出力するＰＬＬ回路手段と、
前記記録クロックを第１の所定数繰り返してカウントする第１のカウントデータを前記ウォブル位相データが出力されるタイミングでウォブルカウントデータとして出力するウォブル位相検出手段と、
前記ウォブル位相データと前記ウォブルカウントデータとの位相差を演算し、ウォブル位相誤差データを出力するウォブル位相比較手段と、
前記ランドプリピットゲート信号に基づいて、前記ランドプリピット信号からランドプリピットデータを生成し、このランドプリピットデータの中から特定のパターンを有するシンクビットを検出してシンクビットゲート信号を出力すると共に、前記ランドプリピットデータの中から前記シンクビットを除いてアドレス情報を検出して出力するランドプリピットデータ復調手段と、
前記シンクビットゲート信号中に前記シンクビットが出現した時に、前記記録クロックを前記第１の所定数をｎ倍した第２の所定数繰り返してカウントする第２のカウントデータをシンクビットカウントデータとして出力すると共に、前記シンクビットの位相を示すシンクビット位相取得信号を出力し、更に、前記シンクビットカウントデータのカウントが０のタイミングでデータ記録開始／データ記録終了を決めるためのタイミングパルスを生成して出力するシンクビット位相検出手段と、
前記シンクビット位相誤差データと前記シンクビット位相誤差取得信号との位相差が０となるように演算を行って、シンクビット位相誤差データを出力するシンクビット位相比較手段と、
前記ウォブル位相誤差データをフィルタリングして高域操作量データを得る第１のループフィルタと、
前記シンクビット位相誤差データをフィルタリングして低域操作量データを得る第２のループフィルタと、
前記高域操作量データと前記低域操作量データとを加算した後の操作量データから前記記録クロックを生成する電圧可変発振手段と、
前記アドレス情報が入力されたデータ記録開始アドレス／データ記録終アドレスに一致した結果と、前記データ記録開始／データ記録終了のタイミングパルスとにより前記データの記録開始／記録終了を行わせる手段と、を備えたことを特徴とする光ディスク装置。
【発明の詳細な説明】
【０００１】
【発明の属する技術分野】
本発明は、記録再生可能なデータ領域を有して片側又は両側を所定の周波数でウォブル（蛇行）したグルーブと、隣り合うグルーブ間に位置したランドとを対にしたトラックがディスク基板上で螺旋状又は同心円状に形成され、且つ、ランド上にはグルーブに記録するデータへのアドレス情報などがランドプリピットとして所定の間隔を保って予め形成されている光ディスクを用いて、グルーブにデータを記録する際にデータを送り出すための記録クロックを電圧可変発振器を有するＰＬＬ回路により生成する記録クロック生成方法及び光ディスク装置に関するものである。
【０００２】
【従来の技術】
一般的に、ＣＤ（Ｃｏｍｐａｃｔ  Ｄｉｓｃ），ＤＶＤ（Ｄｉｇｉｔａｌ  Ｖｅｒｓａｔｉｌｅ  Ｄｉｓｃ）などの光ディスクは、映像情報とか音声情報やコンピュータデータなどの情報信号を円盤状のディスク基板上で螺旋状又は同心円状に形成したトラックに高密度に記録及び／又は再生でき、しかも所望のトラックを高速にアクセスできることから多用されている。
【０００３】
一方、情報信号をより一層高密度に記録再生できる光ディスク及び光ディスク装置が要求され、この要求を満たすために各種の改善が行われており、この一例として、光ディスク上でトラックのトラック幅及びトラックピッチなどを狭めて情報信号への高密度化を図る方法が採用されている。これに伴って、狭いトラック幅及び狭いトラックピッチでもアドレス情報の読み取りや光ディスクへの回転制御を正確に得るために、所定の周波数でウォブル（蛇行）したグルーブ（溝）と、隣り合うグルーブ間に位置するランドとを対にしたトラックが、ディスク基板上で最内周から最外周に亘って螺旋状又は同心円状に形成され、且つ、ランド上にはグルーブに記録する情報信号への補助情報がランドプリピットとして所定の間隔を保って予め形成された光ディスク（ＤＶＤ−Ｒ）を用い、この光ディスク上に形成されている同期信号が検出できない場合でも、記録データに対応する記録位置を設定することが可能な記録タイミング設定方法及び記録タイミング設定装置並びに情報記録方法及び情報記録装置が、特開平１１−２７３２４９号公報に開示されている。
【０００４】
図１０は従来の記録タイミング設定方法及び記録タイミング設定装置並びに情報記録方法及び情報記録装置に適用される光ディスクを説明するために模式的に示した図である。
【０００５】
図１０に模式的に示した従来の光ディスク１００は、上記した特開平１１−２７３２４９号公報に開示された記録タイミング設定方法及び記録タイミング設定装置並びに情報記録方法及び情報記録装置に適用されているものであり、この光ディスク１００は情報信号の高密度記録再生を目的として、ＣＤ−Ｒ（ＣＤ−Ｒｅｃｏｒｄａｂｌｅ）に対して約７倍に記録容量を向上させたＤＶＤ−Ｒ（ＤＶＤ−Ｒｅｃｏｒｄａｂｌｅ）に用いられている。
【０００６】
上記した従来の光ディスク１００は、所定の周波数成分のウォブル信号でウォブルされてデータ（情報信号）を記録するためのグルーブトラック１０１と、隣り合うグルーブトラック１０１間に位置するランドトラック１０２とが不図示のディスク基板上に螺旋状又は同心円状に形成されている。この際、グルーブトラック１０１のウォブルの振幅はトラッキングに影響を及ぼさないようにトラッキグ制御帯域に比べて十分高く設定されている。
【０００７】
また、ランドトラック１０２上にはランドプリピット１０３が予め形成されており、このランドプリピット１０３はウォブル信号に対して所定の位相関係を有し、且つ、データを記録するためのアドレス情報などの補助情報が予め記録されている。
【０００８】
また、光ディスク１００はＤＶＤ−Ｒに適用されているために、データを記録するグルーブトラック１０１が予め情報単位としてのシンクフレームごとに分割されている。そして、２６個のシンクフレームにより一つのレコーディングセクタが構成され、更に、１６個のレコーディングセクタにより一つのＥＣＣ（Ｅｒｒｏｒ  Ｃｏｒｒｅｃｔｉｎｇ  Ｃｏｄｅ）ブロックが構成されている。なお、一つのシンクフレームは、データを記録する際の記録フォーマットにより規定されるピット間隔に対応する単位長さ（以下、Ｔという。）の１４８８倍（１４８８Ｔ）の長さを有しており、更に、一つのシンクフレームの先頭の１４Ｔの長さの部分はシンクフレーム毎の同期をとるための同期情報ＳＹとして用いられている。
【０００９】
一方、光ディスク（ＤＶＤ−Ｒ）１００のランドトラック１０２上に形成されるランドプリピット１０３は、シンクフレームごとに形成されている。この際、夫々のシンクフレームにおける同期情報ＳＹが記録される領域に隣接するランドトラック１０２上に、プリ情報における同期信号を示すものとして一つのランドプリピット１０３が形成されていると共に、当該同期情報ＳＹ以外の当該シンクフレーム内の前半部分に隣接するランドトラック１０２上に、記録すべきプリ情報の内容を示すものとして一つ又は二つのランドプリピット１０３が形成されている（なお、同期情報ＳＹ以外の当該シンクフレーム内の前半部分については、記録すべきプリ情報の内容によってはランドプリピット１０３が形成されない場合もある。）。更に、一つのレコーディングセクタにおいては、偶数番目のシンクフレーム（ＥＶＥＮフレーム）又は奇数番目のシンクフレーム（ＯＤＤフレーム）のいずれか一方のシンクフレームにランドプリピット１０３が形成されてプリ情報が記録すべき情報の内容に対応して設定されている。
【００１０】
そして、上記した従来の記録タイミング設定方法及び記録タイミング設定装置並びに情報記録方法及び情報記録装置では、グルーブトラック１０１によるウォブル信号は光ピックアップの半径方向に対し内周側のホト・ディテクタ（光電変換素子）及び外周側のホト・ディテクタ（光電変換素子）から得られた各信号の差分をとったラジアルプッシュプル信号をバンドパスフィルタに通すことによって検出される。このバンドパスフィルタの出力信号、即ち、ウォブル信号に同期して発振するＰＬＬ回路（位相同期ループ）の出力信号によってスピンドルモータをＣＬＶ制御するためのスピンドル制御信号及び記録すべきデータを定められたフォーマットで光ディスク上のグルーブトラック１０１に記録するための記録クロックを得る。
【００１１】
また、ＰＬＬ回路の出力信号からグルーブトラック１０１間のランドトラック１０２上に予め形成されたランドプリピット１０３によるランドプリピット信号を抜き取るためのゲート信号を得る。このランドプリピット信号からデータ記録開始／データ記録終了位置の検出を行い、またランドプリピット信号中のシンクビット（同期情報）によってデータ記録開始／データ記録終了のタイミングパルスを得る。ここで個々のシンクビットはジッタを持っているためにそのタイミングはゆらいでいる。よって個々のシンクビットからデータ記録開始／データ記録終了のタイミングパルスを直接得るとジッタにより不正確なものとなる。また、シンクビットが検出できない場合、データ記録開始／データ記録終了のタイミングパルスを得ることが不可能になる。
【００１２】
このように記録クロック及びデータ記録開始／データ記録終了のタイミングパルスを得るための従来技術として特開平１１−２７３２４９号公報によれば、ランドプリピット信号中のシンクビットの位置を平均化したタイミングパルスを得て、個々のシンクビット位置のジッタを平均化することによりゆらぎを取り除いたタイミングパルスを得ることが開示されている。また、シンクビットを検出できない場合、予測したタイミングにおいてデータ記録開始／データ記録終了のタイミングパルスを得ることも開示されている。
【００１３】
【発明が解決しようとする課題】
ところで、上記した従来の光ディスク１００を用いてデータ（情報信号）を記録及び／又は再生する際に、データを記録するためのグルーブトラック１０１にアドレス情報を配置していないため、記録したデータが分断されることなく連続するので記録密度の低下がなく高密度記録が達成でき、且つ、光ディスク１００のランドトラック１０２上に形成されているランドプリピット１０３中のシンクビット（同期情報）が検出できない場合でも、予測により記録データに対応する記録位置を設定することが可能なものの、上記したように、シンクビット位置を平均化してデータ記録開始／データ記録終了のタイミングパルスを得るように構成された従来技術によれば、記録クロックを生成する記録クロック用のＰＬＬ回路とは別に、データ記録開始／データ記録終了のタイミングパルスを得るためのシンクビットタイミングの平均化及び予測回路を必要とするため、装置内の回路構成が複雑化している。
【００１４】
そこで、データ記録時に、ウォブル信号とランドプリピット信号とから応答性の良い記録クロックを生成することができ、且つ、データを記録するグルーブ上でのデータ記録開始／データ記録終了のタイミングを精度良く確実に設定できる記録クロック生成方法及び光ディスク装置が望まれている。
【００１５】
【課題を解決するための手段】
本発明は上記課題に鑑みてなされたものであり、請求項１記載の発明は、記録再生可能なデータ領域を有して片側又は両側を所定の周波数でウォブル（蛇行）したグルーブと、隣り合う前記グルーブ間に位置したランドとを対にしたトラックがディスク基板上で螺旋状又は同心円状に形成され、且つ、前記ランド上には前記グルーブに記録するデータへのアドレス情報などがランドプリピットとして所定の間隔を保って予め形成されている光ディスクを用いて、前記データを前記グルーブに記録するための記録クロックを生成する記録クロック生成方法において、
前記光ディスクに記録用のビームスポットを照射して該光ディスクで反射された反射光を光電変換した信号から前記ウォブルによるウォブル信号を抽出する第１ステップと、
前記光ディスクに記録用のビームスポットを照射して該光ディスクで反射された前記反射光を光電変換した信号から前記ランドプリピットによるランドプリピット信号を抽出する第２ステップと、
前記ウォブル信号の位相と同相のウォブル位相データを生成して出力すると共に、前記ウォブル信号に同期した矩形のランドプリピットゲート信号を生成して出力する第３ステップと、
前記記録クロックを第１の所定数繰り返してカウントする第１のカウントデータを前記ウォブル位相データが出力されるタイミングでウォブルカウントデータとして出力する第４ステップと、
前記ウォブル位相データと前記ウォブルカウントデータとの位相差を演算し、ウォブル位相誤差データを出力する第５ステップと、
前記ランドプリピットゲート信号に基づいて、前記ランドプリピット信号からランドプリピットデータを生成し、このランドプリピットデータの中から特定のパターンを有するシンクビットを検出してシンクビットゲート信号を出力する第６ステップと、
前記シンクビットゲート信号中に前記シンクビットが出現した時に、前記記録クロックを前記第１の所定数をｎ倍した第２の所定数繰り返してカウントする第２のカウントデータをシンクビットカウントデータとして出力すると共に、前記シンクビットの位相を示すシンクビット位相取得信号を出力する第７ステップと、
前記シンクビットカウントデータと前記シンクビット位相取得信号との位相差が０となるように演算を行って、シンクビット位相誤差データを出力する第８ステップと、
前記ウォブル位相誤差データをフィルタリングして高域操作量データを得る第９ステップと、
前記シンクビット位相誤差データをフィルタリングして低域操作量データを得る第１０ステップと、
前記高域操作量データと前記低域操作量データとを加算した後の操作量データから前記記録クロックを生成する第１１ステップとを含み、
前記第６ステップにおいて前記ランドプリピットデータの中から前記シンクビットを除いてアドレス情報を検出し、且つ、前記第７ステップにおいて出力される前記シンクビットカウントデータのカウントが０のタイミングでデータ記録開始／データ記録終了を決めるためのタイミングパルスを生成して出力し、前記アドレス情報が入力されたデータ記録開始アドレス／データ記録終アドレスに一致した結果と、前記データ記録開始／データ記録終了のタイミングパルスとにより前記データの記録開始／記録終了を行うことを特徴とする記録クロック生成方法である。
【００１６】
また、請求項２記載の発明は、記録再生可能なデータ領域を有して片側又は両側を所定の周波数でウォブル（蛇行）したグルーブと、隣り合う前記グルーブ間に位置したランドとを対にしたトラックがディスク基板上で螺旋状又は同心円状に形成され、且つ、前記ランド上には前記グルーブに記録するデータへのアドレス情報などがランドプリピットとして所定の間隔を保って予め形成されている光ディスクを用いて、電圧可変発振器から出力される記録クロックにより、前記データを前記グルーブに記録する光ディスク装置において、
前記光ディスクに記録用のビームスポットを照射して該光ディスクで反射された反射光を光電変換した信号から前記ウォブルによるウォブル信号を抽出するウォブル信号抽出手段と、
前記光ディスクに記録用のビームスポットを照射して該光ディスクで反射された前記反射光を光電変換した信号から前記ランドプリピットによるランドプリピット信号を抽出するランドプリピット信号抽出手段と、
前記ウォブル信号の位相と同相のウォブル位相データを生成して出力すると共に、前記ウォブル信号に同期した矩形のランドプリピットゲート信号を生成して出力するＰＬＬ回路手段と、
前記記録クロックを第１の所定数繰り返してカウントする第１のカウントデータを前記ウォブル位相データが出力されるタイミングでウォブルカウントデータとして出力するウォブル位相検出手段と、
前記ウォブル位相データと前記ウォブルカウントデータとの位相差を演算し、ウォブル位相誤差データを出力するウォブル位相比較手段と、
前記ランドプリピットゲート信号に基づいて、前記ランドプリピット信号からランドプリピットデータを生成し、このランドプリピットデータの中から特定のパターンを有するシンクビットを検出してシンクビットゲート信号を出力すると共に、前記ランドプリピットデータの中から前記シンクビットを除いてアドレス情報を検出して出力するランドプリピットデータ復調手段と、
前記シンクビットゲート信号中に前記シンクビットが出現した時に、前記記録クロックを前記第１の所定数をｎ倍した第２の所定数繰り返してカウントする第２のカウントデータをシンクビットカウントデータとして出力すると共に、前記シンクビットの位相を示すシンクビット位相取得信号を出力し、更に、前記シンクビットカウントデータのカウントが０のタイミングでデータ記録開始／データ記録終了を決めるためのタイミングパルスを生成して出力するシンクビット位相検出手段と、
前記シンクビット位相誤差データと前記シンクビット位相誤差取得信号との位相差が０となるように演算を行って、シンクビット位相誤差データを出力するシンクビット位相比較手段と、
前記ウォブル位相誤差データをフィルタリングして高域操作量データを得る第１のループフィルタと、
前記シンクビット位相誤差データをフィルタリングして低域操作量データを得る第２のループフィルタと、
前記高域操作量データと前記低域操作量データとを加算した後の操作量データから前記記録クロックを生成する電圧可変発振手段と、
前記アドレス情報が入力されたデータ記録開始アドレス／データ記録終アドレスに一致した結果と、前記データ記録開始／データ記録終了のタイミングパルスとにより前記データの記録開始／記録終了を行わせる手段と、を備えたことを特徴とする光ディスク装置である。
【００１９】
【発明の実施の形態】
以下に本発明に係る記録クロック生成方法及び光ディスク装置の一実施例を図１乃至図９を参照して項目順に詳細に説明する。
【００２０】
本発明に係る記録クロック生成方法及び光ディスク装置を説明する前に、ここで適用される光ディスクについて説明する。
【００２１】
＜光ディスク＞
図１は本発明に係る記録クロック生成方法及び光ディスク装置に適用される光ディスクを説明するための斜視図である。
【００２２】
図１に示した如く、本発明に係る記録クロック生成方法及び光ディスク装置に適用される光ディスク１は、厚さが例えば略０．６ｍｍ程度の透明なディスク基板２を円盤状に形成し、このディスク基板２の一方の面側に所定の周波数でｓｉｎｅカーブ又はｃｏｓｉｎｅカーブ状にウォブル（蛇行）したグルーブ３と、隣り合うグルーブ３，３間に位置するランド４とを対にしたトラックが、ディスク基板２上で最内周から最外周に亘って螺旋状又は同心円状に形成され、且つ、ランド４上にはグルーブ３に記録するデータへのアドレス情報（同期情報，トラックアドレス情報），訂正用パリティなどの補助情報がランドプリピット５として所定の間隔を保って予め形成されている。
【００２３】
尚、グルーブ３及びランド４の形状は、一般的にグルーブ３が凹状に形成されランド４は凸状に形成されているものの、ビームスポットＢを照射する面が反転すれば両者の凹凸関係が逆転するために、グルーブ３及びランド４の凹凸形状は、いずれか一方を凹状に形成し、他方を凸状に形成すれば良いものである。
【００２４】
更に、後述するように、所定数のランドプリピット５に対応してデータへの記録ブロック単位（ＥＣＣブロック）が割り当てられている。
【００２５】
この際、グルーブ３はデータを記録するための記録用トラックとなっており、一方、ランド４上に形成したランドプリピット５は補助情報としてアドレス情報，訂正用パリティなどがピット形態で予め形成されている。
【００２６】
また、グルーブ３及びランド４上には、相変化材料を用いた相変化記録層６と、Ａｌ（アルミニュウム），Ａｕ（金）などを用いた金属反射層７と、保護層８とが順次成膜され、更に、保護層８側に厚さが略０．６ｍｍ程度の補強基板９を接着材を用いて貼り合わせて、合計厚さが１．２ｍｍの光ディスク１が形成されている。
【００２７】
従って、光ディスク１は、グルーブ３上に成膜した相変化記録層６によりデータの書き換えが可能となっている。
【００２８】
そして、透明なディスク基板２の他方の面側から一つのグルーブ３と、このグルーブ３の両側に隣接するランド４，４とにビームスポットＢを照射して、ビームスポットＢがディスク基板２，相変化記録層６を通って金属反射層７で反射された戻りの反射光を、後述する光ディスク記録再生装置２０（図５）内に設けた光ピックアップ２４内の４分割型のホト・ディテクタ２４ｄ（図５，図６）を用いて検出している。
【００２９】
尚、光ディスク１への更なる記録密度の向上のためにデータ読取り側に位置するディスク基板２の厚みを薄くする必要が生じた場合には、図示を省略するものの、厚さが０．５ｍｍ〜１．１ｍｍ程度の厚いディスク基板２にグルーブ３とランド４とを対にしたトラックを螺旋状又は同心円状に形成し、これらのグルーブ３及びランド４上に金属反射層７，相変化記録層６を順に成膜した後、相変化記録層６側に厚さが０．１ｍｍ〜０．２ｍｍ程度の薄い透明フィルムを透明接着材で接着し、この薄い透明フィルム側からビームスポットＢを照射するように光ディスク１を形成する方法もある。
【００３０】
次に、光ディスク１のランド４上に予め形成したランドプリピット５を中心に図２乃至図４を用いて説明する。
【００３１】
図２は図１に示した光ディスクにおいて、（ａ）はグルーブ，ランド，ランドプリピットの形状を模式的に示した図であり、（ｂ）はランドプリピットを検出した時のランドプリピット信号の波形を示した図、
図３は図１に示した光ディスクにおいて、グルーブの同期フレーム内の信号形態を示した図、
図４は図１に示した光ディスクにおいて、ランド上に形成したランドプリピットの種類を説明するための図である。
【００３２】
図２（ａ）に示した如く、光ディスク１上では、複数のグルーブ３がトラッキグ制御帯域に比べて十分高い所定の周波数でディスク円周方向に沿ってウォブルされており、且つ、グルーブ３の一つの同期フレーム周期は例えば８ウォブル周期に設定されている。また、隣り合うグルーブ３，３間のランド４上に形成したランドプリピット５は、グルーブ３のウォブル周期，同期フレーム周期に対して所定の位相関係を保って設けられている。これに伴って、ランドプリピット５によるシンクビット（同期情報）はウォブル８周期（８個のウォブル）ごとに設定されている。
【００３３】
尚、図２（ａ）に示したグルーブ３は、両側共にウォブルされているが、これに限らず、グルーブ３の片側のみをウォブルさせても良い。
【００３４】
そして、ビームスポットＢで一つのグルーブ３をトラッキングしながら走査した時に、一つのグルーブ３の両側に位置するランド４，４上にそれぞれ形成したランドプリピット５，５を４分割型のホト・ディテクタ２４ｄ（図５，図６）を用いてラジアルプッシュプル法により検出したランドプリピット信号は、図２（ｂ）に示したように、例えばグルーブ３の外周側に連接したランドプリピット５ａによるランドプリピット信号が正極性の出力となり、一方、グルーブ３の内周側に連接したランドプリピット５ｂによるランドプリピット信号は負極性の出力となるが、少なくとも一方の極性のランドプリピットを用いれば良いものである。
【００３５】
また、グルーブ３の一つの同期フレーム周期と対応する一つの同期フレームは、図３に示したように、同期信号ＳＹと、データを記録するデータ領域Ｄとで構成されている。
【００３６】
また、グルーブ３に記録されるデータのデータフォーマットは、周知のＤＶＤ（Ｄｉｇｉｔａｌ  Ｖｅｒｓａｔｉｌｅ  Ｄｉｓｃ）と同様に、２６個の同期フレーム（シンクフレーム）で一つのセクタ（レコーディングセクタ）が構成されていると共に、一つのＥＣＣ（Ｅｒｒｏｒ  Ｃｏｒｒｅｃｔｉｎｇ  Ｃｏｄｅ）ブロックがＤＶＤと同様に１６セクタで構成されるか、又はＤＶＤの２倍の３２セクタで構成されている。
【００３７】
また、ランドプリピット５は、図４に示したように、３ビット（ｂ２，ｂ１，ｂ０）を用いた組み合わせにより４種類のコードデータが設定されており、３ビット（ｂ２，ｂ１，ｂ０）の配列は連続した３つのウォブル中でウォブル周期に同期した各ウォブルの所定位置に合計で３か所設定されている。
【００３８】
この際、ランドプリピット５の３ビット（ｂ２，ｂ１，ｂ０）の配列は、例えばＥＶＥＮフレームのプリピット同期信号１が（１，１，１）に、ＯＤＤフレームのプリピット同期信号２は（１，１，０）に、プリピットデータ＝１は（１，０，１）に、プリピットデータ＝０は（１，０，０）に設定されている。
【００３９】
従って、各ランドプリピット５は、４種類のうちのいずれか１つが必ず付与されていると共に、４種類のランドプリピット５はビット（先頭ビット）ｂ２が共通して“１”に設定されており、プリピット同期信号１及びプリピット同期信号２についてはビットｂ１が共に“１”であることにより同期情報ＳＹであるとして認識され、更に、ビットｂ０が“１”か“０”かを認識することにより１ビットのデータとして扱うことができる。
【００４０】
＜光ディスク記録方法、光ディスク装置＞
図５は本発明に係る光ディスク装置の構成を示したブロック図、
図６は本発明に係る光ディスク装置において、光ディスク上に照射したビームスポットによる光ディスクからの反射光を４分割型のホト・ディテクタで検出する状態を模式的に示した図、
図７は本発明に係る光ディスク装置において、データ記録時の各信号波形を示した図、
図８は本発明に係る光ディスク装置において、ウォブルループフィルタ特性と、シンクビットループフィルタ特性とを示した図、
図９は本発明に係る光ディスク装置において、シンクビットループフィルタ演算器の内部構成を示した図である。
【００４１】
図５に示した如く、本発明に係る光ディスク装置２０は、先に説明した書き換え可能な光ディスク１を用いてデータを光ディスク１に形成したグルーブ３（図１，図２）に記録したり、グルーブ３に記録した記録済みのデータを再生できるように構成されている。
【００４２】
上記した光ディスク装置２０では、スピンドルモータ２１の軸に固着したターンテーブル２２上に前記した光ディスク１が回転自在に装着されている。また、レーザー駆動回路２３と接続した光ピックアップ２４が光ディスク１と対向してこの光ディスク１の径方向に移動自在に設けられている。この光ピックアップ２４は、内部に設置した半導体レーザ２４ａからのレーザー光をビームスプリッタ２４ｂを介して対物レンズ２４ｃにより絞り込んだビームスポットＢを光ディスク１に形成したグルーブ３（図１，図２）及びランド４（図１，図２）上に照射すると共に、光ディスク１上に照射したビームスポットＢが光ディスク１の金属反射層７（図１）で反射された戻りの反射光を対物レンズ２４ｃ及びビームスプリッタ２４ｂを介して４分割型のホト・ディテクタ２４ｄで検出している。
【００４３】
また、光ピックアップ２４内の対物レンズ２４ｃからビームスポットＢを光ディスク１上のグルーブ３及びランド４に照射する時に、図示しないトラッキング手段によりビームスポットＢをグルーブ３に対してトラッキングをかけ、且つ、図示しないフォーカス手段によりビームスポットＢを光ディスク１上のグルーブ３に合焦させている。
【００４４】
この際、上記したレーザー駆動回路２３は、データ記録時に記録すべきデータを強い記録レーザーパワーのもとで変調して記録パルスを得て、この記録パルスに応じた記録電流を光ピックアップ２４内の半導体レーザー２４ａに印加し、一方、データ再生時に弱い再生レーザーパワーのもとで一定値の電流を光ピックアップ２４内の半導体レーザー２４ａに印加している。
【００４５】
ここで、図６に示した如く、光ピックアップ２４内に設けた４分割型のホト・ディテクタ２４ｄは略矩形状に形成されており、光ディスク１の半径方向に沿った直線とグルーブ方向（トラック方向）に沿った直線とで全受光領域が４等分に分割されているものの、このホト・ディテクタ２４ｄ上に結像した光ディスク１からの戻りの反射光を光電変換する際に、光ディスク１の外周側の２つの受光領域Ａ及び受光領域Ｂの組みと、内周側の２つの受光領域Ｃ及び受光領域Ｄの組みとで２つの組みに分けられて、光ディスク１の記録トラック方向に沿った直線に対して外周側と内周側とに２分割した状態になっている。
【００４６】
図５に戻り、光ディスク１を回転させて、データ記録時の記録レーザーパワーによるビームスポットＢ又はデータ再生時の再生レーザーパワーによるビームスポットＢをグルーブ３上に膜付けした相変化記録層６（図１）に照射した時に、光ディスク１からの反射光をピックアップ２４内のホト・ディテクタ２４ｄで受光し、このホト・ディテクタ２４ｄで光電変換された信号がＲＦ信号生成回路２５と、ラジアルプッシュプル信号生成回路２７とにそれぞれ入力されている。
【００４７】
上記したＲＦ信号生成回路２５では、データ再生時に光ディスク１上に照射した再生レーザーパワーによるビームスポットＢの光ディスク１からの反射光を図６に示した４分割型のホト・ディテクタ２４ｄで受光し、このホト・ディテクタ２４ｄの受光領域Ａ〜受光領域Ｄで受光した各受光出力を全て加算した（Ａ＋Ｂ＋Ｃ＋Ｄ）信号によるＲＦ信号２５ａを得て、このＲＦ信号２５ａをデータ再生回路２６に送出して、このデータ再生回路２６内でグルーブ３に記録した記録済みのデータを再生してこのデータ２６ａを出力しているが、データ再生時の説明は本発明とは直接関係ないので、これ以上の説明を省略する。
【００４８】
次に、本発明の要部となるデータ記録時に記録クロックを生成する場合について以下詳述する。
【００４９】
上記したラジアルプッシュプル信号生成回路２７では、データ記録時に光ディスク１上に照射した記録レーザーパワーによるビームスポットＢの光ディスク１からの反射光を図６に示した４分割型のホト・ディテクタ２４ｄで受光し、このホト・ディテクタ２４ｄの受光領域Ａ，Ｂで受光した各受光出力Ａ，Ｂの加算値（Ａ＋Ｂ）から、ホト・ディテクタ２４ｄの受光領域Ｃ，Ｄで受光した各受光出力Ｃ，Ｄの加算値（Ｃ＋Ｄ）を減算して｛（Ａ＋Ｂ）−（Ｃ＋Ｄ）｝からなるラジアルプッシュプル信号２７ａを得て、このラジアルプッシュプル信号２７ａをＡＤ変換器２８と、ランドプリピット信号検出用コンパレータ３１とに分岐して送出している。
【００５０】
この際、ラジアルプッシュプル信号生成回路２７で得られたラジアルプッシュプル信号２７ａは、図７（ａ）に示したように、グルーブ３を所定の周波数でｓｉｎｅカーブ又はｃｏｓｉｎｅカーブ状にウォブル（蛇行）させたウォブル信号と、ランド４上に所定の間隔で予め形成したランドプリピット５によるランドプリピット信号とがアナログ的に重畳された状態で得られている。
【００５１】
ここで、まず、ラジアルプッシュプル信号生成回路２７で得られたラジアルプッシュプル信号２７ａからウォブル信号を抽出するにあたって、ＡＤ変換器２８ではここに入力されたアナログ・ラジアルプッシュプル信号２７ａをＡＤ変換してディジタル・ラジアルプッシュプル信号２８ａをウォブルバンドパスフィルタ２９に送出している。
【００５２】
この後、ウォブルバンドパスフィルタ２９ではここに入力されたディジタル・ラジアルプッシュプル信号２８ａに対して、ウォブル周波数が中心周波数となるディジタル・バンドパスフィルタで抜き出すことにより、図７（ｂ）に示したようなウォブル信号２９ａをディジタル的に抽出して、このウォブル信号２９ａを第１のＰＬＬ回路３０に送出している。この際、ウォブル信号２９ａは、ウォブルバンドパスフィルタ２９によってランドプリピット５によるランドプリピット信号の影響を除去された信号である。
【００５３】
上記した第１のＰＬＬ回路３０はディジタルＰＬＬで構成されており、内部に設けた図示しないディジタル電圧可変発振器（ＶＣＯ）によりここに入力されたウォブル信号２９ａの位相と同相の発振位相データであるウォブル位相データ３０ａを生成して、このウォブル位相データ３０ａを後述する第２のＰＬＬ回路４０内のウォブル位相検出器４１及びこの後段のウォブル位相比較器４２に送出している。更に、第１のＰＬＬ回路３０内では、入力されたウォブル信号２９ａに同期して、正の半周期ではＨレベルとなり、負の半周期ではＬレベルとなるようなランドプリピットゲート信号３０ｂを図７（ｃ）に示したように生成して、このランドプリピットゲート信号３０ｂを後述するランドプリピットデータ復調回路３２に送出している。
【００５４】
次に、ラジアルプッシュプル信号生成回路２７で得られたラジアルプッシュプル信号２７ａからランドプリピット信号を抽出するにあたって、ランドプリピット信号検出用コンパレータ３１はここに入力されたラジアルプッシュプル信号２７ａに対してウォブル信号の振幅値よりも大きな値に予め設定した所定値でスライスすることで、パルス状のランドプリピット信号３１ａを図７（ｄ）に示したように抽出して、このランドプリピット信号３１ａをランドプリピットデータ復調回路３２と、後述する第２のＰＬＬ回路４０内のシンクビット位相検出器４４とにそれぞれ送出している。
【００５５】
この後、ランドプリピットデータ復調回路３２では、ランドプリピット信号検出用コンパレータ３１から送られたランドプリピット信号３１ａに対して、第１のＰＬＬ回路３０から送られたランドプリピットゲート信号３０ｂに基づいて図７（ｅ）に示したようなランドプリピットデータを生成している。即ち、ランドプリピットデータは、ランドプリピットゲート信号３０ｂがＨ（ハイ）の期間中にランドプリピット信号３１ａがあればデータ“１”となり、一方、Ｈ（ハイ）の期間中にランドプリピット信号３１ａがなければデータ“０”となる。
【００５６】
そして、このようにして得られたランドプリピットデータから特定パターンを有するシンクビット（同期情報）を検出することによりシンクビットゲート信号３２ａを後述する第２のＰＬＬ回路４０内のシンクビット位相検出器４４に送出し、一方、ランドプリピットデータからシンクビット（同期情報）を除いたアドレス情報３２ｂをアドレス一致検出回路３３に送出し、このアドレス一致検出回路３３で予め入力したデータ記録開始アドレス／データ記録終了アドレスの一致を検索して、この結果を後述するデータパルス生成回路５０に知らせている。
【００５７】
次に、本発明の要部を構成する第２のＰＬＬ回路４０もディジタルＰＬＬで構成されており、ここで、第２のＰＬＬ回路４０の内部構成は、ウォブル信号回路系統（ウォブル位相検出器４１，ウォブル位相比較器４２，ウォブルループフィルタ演算器４３）と、ランドプリピットデータによるシンクビット回路系統（シンクビット位相検出器４４，シンクビット位相比較器４５，シンクビットループフィルタ演算器４６）とに分岐され、更に、ウォブル信号回路系統とシンクビット回路系統とでそれぞれ処理された各信号を合成して処理する合成回路系統（操作量加算演算器４７，ＤＡ変換器４８，アナログ電圧可変発振器４９）とで構成されている。
【００５８】
まず、第２のＰＬＬ回路４０内のウォブル信号回路系統において、ウォブル位相検出器４１では第１のＰＬＬ回路３０からウォブル位相データ３０ａが送られており、且つ、アナログ電圧可変発振器（ＶＣＯ）４９から記録クロック４９ａがフィードバックされている。ここで、記録クロック４９ａの周期Ｔとウォブル周期とは、記録フォーマット上で規定されており、記録クロック周期Ｔの１８６周期をウォブルの１周期とした場合、ウォブル位相検出器４１内に設けた分周器（図示せず）は記録クロック４９ａを繰り返し１８６カウントする分周カウンタデータを第１のＰＬＬ回路３０からのウォブル位相データ３０ａが出力されるタイミングで保持し、ウォブルカウントデータ４１ａとしてウォブル位相比較器４２に送出している。
【００５９】
この後、ウォブル位相比較器４２では、ウォブル位相検出器４１からのウォブルカウントデータ４１ａが得られるタイミングで、第１のＰＬＬ回路３０からのウォブル位相データ３０ａとウォブルカウントデータ４１ａとの位相差を計算することにより、ウォブル位相誤差データ４２ａを得て、このウォブル位相誤差データ４２ａをウォブルループフィルタ演算器４３に送出している。
【００６０】
この後に、ウォブルループフィルタ演算器４３では、ウォブル位相比較器４２からのウォブル位相誤差データ４２ａに対して周波数特性が平坦になるような比例ゲインを乗算することで、ウォブルループフィルタ演算器４３の入出力周波数特性が図８に示したようなウォブルループフィルタ特性（ａ）となり、このウォブルループフィルタ特性（ａ）に沿った高域操作量データ４３ａを得て、この高域操作量データ４３ａを後述する操作量加算演算器４７に送出している。この際、ウォブルループフィルタ演算器４３で得られた高域操作量データ４３ａは、アナログ電圧可変発振器（ＶＣＯ）４９に対して高域成分を支配するような制御データである。
【００６１】
一方、ウォブル周期とランドプリピットのシンクビット（同期情報）とは記録フォーマット上で規定されており、ウォブル８周期毎にシンクビットがあるとすると、前述の記録クロック４９ａとウォブルとの関係より、記録クロック４９ａとランドプリピット５中のシンクビットとは、１８６×８＝１４８８となり、記録クロック１４８８周期毎にランドプリピット５中のシンクビットが現れることになる。
【００６２】
よって、第２のＰＬＬ回路４０内のランドプリピットデータによるシンクビット回路系統において、シンクビット位相検出器４４では、ランドプリピット信号検出用コンパレータ３１からランドプリピット信号３１ａが送られており、且つ、ランドプリピットデータ復調回路３２からシンクビットゲート信号３２ａが送られていると共に、アナログ電圧可変発振器（ＶＣＯ）４９から記録クロック４９ａがフィードバックされている。ここでは、シンクビット位相検出器４４内に設けた分周器（図示せず）で記録クロック４９ａを１４８８カウントし、０から１４８７までを繰り返しカウントしているカウントデータをシンクビットゲート信号３２ａにランドプリピット信号３１ａ中のシンクビットが現れた時、シンクビットカウントデータ４４ａとして保持し、このシンクビットカウントデータ４４ａをシンクビット位相取得信号４４ｂと共にシンクビット位相比較器４５に送出している。また、シンクビット位相検出器４４内に設けた分周器（図示せず）は、記録クロック４９ａを０から１４８７まで繰り返カウントし、カウントが０のタイミングでデータ記録開始／データ記録終了を決めるためのタイミングパルス４４ｃを発生し、このタイミングパルス４４ｃを後述するデータパルス生成回路５０に送出している。従って、データ記録開始／データ記録終了のタイミングパルス４４ｃを精度良く確実に設定できる。
【００６３】
この後、シンクビット位相比較器４５は、シンクビット位相検出器４４からのシンクビット位相取得信号４４ｂが入力された時のみ位相誤差演算を実行し、シンクビット位相検出器４４からのシンクビットカウントデータ４４ａがゼロの時に位相誤差がゼロとなるよう位相誤差演算を行う。よってシンクビットカウントデータ４４ａが７４４以下であれば符号を反転し、シンクビットカウントデータ４４ａが７４４より大であれば｛１４８８−（シンクビットカウントデータ）｝となる位相誤差演算を行い、シンクビット位相誤差データ４５ａとシンクビット位相誤差取得信号４５ｂとをシンクビットループフィルタ演算器４６に送出している。
【００６４】
この後、シンクビットループフィルタ演算器４６では、シンクビット位相比較器４５からのシンクビット位相誤差取得信号４５ｂが得られた時のみフィルタ演算を行う。ここで、シンクビットループフィルタ演算器４６について図９を用いて説明する。
【００６５】
図９に示したシンクビットループフィルタ演算器４６では、シンクビット位相比較器４５から送られたシンクビット位相誤差データ４５ａを、シンクビット位相誤差取得信号４５ｂが得られた時に積算した後、積分ゲインＫＩを乗じることによって、シンクビットループフィルタ演算器４６の入出力周波数特性が図８に示したように周波数が高くなるほどゲインが低下するようなシンクビットループフィルタ特性（ｂ）となり、このシンクビットループフィルタ特性（ｂ）に沿った低域操作量データ４６ａを得て、この低域操作量データ４６ａを後述する操作量加算演算器４７に送出している。この際、シンクビットループフィルタ演算器４６で得られた低域操作量データ４６ａは、アナログ電圧可変発振器（ＶＣＯ）４９に対して低域成分を支配するような制御データである。
【００６６】
尚、ランドプリピットデータ復調回路３２から送られたシンクビットゲート信号３２ａ中にシンクビットが現れない場合は、シンクビット位相検出器４４からシンクビット位相取得信号４４ｂが現れないために後段のシンクビット位相比較器４５及びシンクビットループフィルタ演算器４６はデータの更新を行わず、低域操作量が保持される。
【００６７】
このようにシンクビットループフィルタ演算器４６は、完全積分型であるためシンクビットとシンクビット位相検出器４４内で記録クロック４９ａを１４８８カウントする分周器がゼロの時に出力されるデータ記録開始／データ記録終了を決めるためのタイミングパルス４４ｃとの位相誤差がゼロになるように第２のＰＬＬ回路４０を動作させ、シンクビットゲート信号３２ａ中にシンクビットが現れない場合においても、シンクビット位相検出器４４内で記録クロック４９ａを１４８８分周するカウンタがゼロの時にデータ記録開始／データ記録終了のタイミングパルス４４ｃを発生している。
【００６８】
また、個々のシンクビット（同期情報）の位置は、従来技術で説明したようにジッタを持っているためタイミングが変動するが、第２のＰＬＬ回路４０内に設けたシンクビットループフィルタ演算器４６による積分動作により、データ記録開始／データ記録終了を決めるためのタイミングパルス４４ｃはシンクビット位置の平均的に現れる位置を示すことになり、個々のシンクビットのジッタの影響を受けることはない。
【００６９】
次に、第２のＰＬＬ回路４０内でのウォブル信号回路系統とランドプリピットデータによるシンクビット回路系統とを合わせた合成回路系統において、操作量加算演算器４７では、ウォブルループフィルタ演算器４３から送られた高域操作量データ４３ａと、シンクビットループフィルタ演算器４６から送られた低域操作量データ４６ａとを加算することにより、ＶＣＯディジタル操作量データ４７ａを得て、このＶＣＯディジタル操作量データ４７ａをＤＡ変換器４８に送出している。
【００７０】
この際、ＶＣＯディジタル操作量データ４７ａは、図８に示すようにウォブルループフィルタ特性（ａ）と、シンクビットループフィルタ特性（ｂ）とが交差する点の周波数Ｆ０より高い周波数においてはウォブル位相誤差信号４２ａから得られる高域操作量データ４３ａが支配的であり、周波数Ｆ０より低い周波数においてはシンクビット位相誤差データ４５ａから得られる低域操作量データ４６ａが支配的となる。
【００７１】
この後、ＤＡ変換器４８は操作量加算演算器４７から送られたＶＣＯディジタル操作量データ４７ａをＤＡ変換してＶＣＯアナログ操作量データ４８ａをアナログ電圧可変発振器（ＶＣＯ）４９に送出する。
【００７２】
そして、アナログ電圧可変発振器（ＶＣＯ）４９は、ＤＡ変換器４８から送られたＶＣＯアナログ操作量データ４８ａにより制御されて応答性の良い記録クロック４９ａを生成している。そして、ここで生成した記録クロック４９ａは前述したようにウォブル位相検出器４１及びシンクビット位相検出器４４にフィードバックされることで第２のＰＬＬ回路４０を構成すると共に、記録クロック４９ａを下記するデータパルス生成回路５０に送出している。
【００７３】
次に、データパルス生成回路５０では、記録したいデータが入力され、このデータはシンクビット位相検出器４４からのタイミングパルス４４ｃによってデータ記録開始／データ記録終了のタイミングを設定された上で、アナログ電圧可変発振器（ＶＣＯ）４９からの記録クロック４９ａによってデータパルス５０ａをレーザー駆動回路２３に送出している。
【００７４】
この後、レーザー駆動回路２３ではデータパルス生成回路５０から送られたデータパルス５０ａを記録レーザーパワーで変調して記録パルス２３ａを生成し、この記録パルス２３ａに対応した記録電流を光ピックアップ２４内の半導体レーザー２４ａに供給することで、記録パルス２３ａに対応したビームスポットＢを光ディスク１上のグルーブ３に照射してデータを記録している。
【００７５】
上述した如く、本発明に係る記録クロック生成方法及び光ディスク装置では、とくに、ウォブル位相誤差信号４２ａをウォブルループフィルタ演算器（第１のループフィルタ）４３によりフィルタリングしてアナログ電圧可変発振器４９への高域操作量を得ると共に、シンクビット位相誤差データ４５ａをシンクビットループフィルタ演算器（第２のループフィルタ）４６によりフィルタリングしてアナログ電圧可変発振器４９への低域操作量を得て、両ループフィルタ４３，４６でそれぞれ得られた高域操作量と低域操作量とを加算した後の操作量をアナログ電圧可変発振器４９に供給しているので、アナログ電圧可変発振器４９から出力される記録クロック４９ａはウォブル信号に同期し、且つ、低域から高域に亘る全周波数に亘って応答性が良い。
【００７６】
また、第２のＰＬＬ回路４０は、ウォブル信号２９ａに同期し、且つ、ランドプリピット信号３１ａのシンクビットに同期したデータ記録開始／データ記録終了のタイミングパルス４４ｃを発生させて動作するため、光ディスク１上においてデータ記録開始／データ記録終了の位置を正確に設定できる。
【００７７】
尚、実施例においては、第２のＰＬＬ回路４０に入力されるウォブル位相データ３０ａを第１のＰＬＬ回路３０より得ているが、本発明の変形例として、ウォブルバンドパスフィルタ２９の出力から位相演算を行いウォブル位相データを得ることもできる。
【００７８】
【発明の効果】
以上詳述した本発明に係る記録クロック生成方法及び光ディスク装置によると、所定の周波数でウォブルしたグルーブと、隣り合うグルーブ間に位置したランドとを対にしたトラックが形成され、且つ、ランド上にはグルーブに記録するデータへのアドレス情報などがランドプリピットとして所定の間隔を保って予め形成されている光ディスクのグルーブにデータを記録する際に、とくに、ウォブル位相誤差データを第１のループフィルタによりフィルタリングして電圧可変発振器への高域操作量を得ると共に、シンクビット位相誤差データを第２のループフィルタによりフィルタリングして電圧可変発振器への低域操作量を得て、両ループフィルタでそれぞれ得られた高域操作量と低域操作量とを加算した後の操作量を電圧可変発振器に供給しているので、電圧可変発振器から出力される記録クロックはウォブル信号に同期し、且つ、低域から高域に亘る全周波数に亘って応答性が良い。
更に、第６ステップ（ランドプリピットデータ復調手段）においてランドプリピットデータの中からシンクビットを除いてアドレス情報を検出し、且つ、第７ステップにおいて（シンクビット位相検出手段から）出力されるシンクビットカウントデータのカウントが０のタイミングでデータ記録開始／データ記録終了を決めるためのタイミングパルスを生成して出力し、アドレス情報が入力されたデータ記録開始アドレス／データ記録終アドレスに一致した結果と、データ記録開始／データ記録終了のタイミングパルスとによりデータの記録開始／記録終了を行っているので、データ記録開始／データ記録終了の位置を正確に設定した上でデータを光ディスクに良好に記録でき、しかも、データ記録開始／データ記録終了のタイミングパルスを得るためのシンクビットタイミングの平均化及び予測回路を必要としないために、回路構成が簡単となる。
【図面の簡単な説明】
【図１】本発明に係る記録クロック生成方法及び光ディスク装置に適用される光ディスクを説明するための斜視図である。
【図２】図１に示した光ディスクにおいて、（ａ）はグルーブ，ランド，ランドプリピットの形状を模式的に示した図であり、（ｂ）はランドプリピットを検出した時のランドプリピット信号の波形を示した図である。
【図３】図１に示した光ディスクにおいて、グルーブの同期フレーム内の信号形態を示した図である。
【図４】図１に示した光ディスクにおいて、ランド上に形成したランドプリピットの種類を説明するための図である。
【図５】本発明に係る光ディスク装置の構成を示したブロック図である。
【図６】本発明に係る光ディスク装置において、光ディスク上に照射したビームスポットによる光ディスクからの反射光を４分割型のホト・ディテクタで検出する状態を模式的に示した図である。
【図７】本発明に係る光ディスク装置において、データ記録時の各信号波形を示した図である。
【図８】本発明に係る光ディスク装置において、ウォブルループフィルタ特性と、シンクビットループフィルタ特性とを示した図である。
【図９】本発明に係る光ディスク装置において、シンクビットループフィルタ演算器の内部構成を示した図である。
【図１０】従来の記録タイミング設定方法及び記録タイミング設定装置並びに情報記録方法及び情報記録装置に適用される光ディスクを説明するために模式的に示した図である。
【符号の説明】
１…光ディスク、２…ディスク基板、３…グルーブ、４…ランド、
５…ランドプリピット、５ａ…先頭ランドプリピット、６…相変化記録層、
２０…実施例の光ディスク装置、
２１…スピンドルモータ、２２…ターンテーブル、
２３…レーザー駆動回路、
２４…光ピックアップ、２４ａ…半導体レーザ、２４ｂ…ビームスプリッタ、
２４ｃ…対物レンズ、２４ｄ…ホト・ディテクタ、
２５…ＲＦ信号生成回路、２６…データ再生回路、
２７…ラジアルプッシュプル信号生成回路、ＡＤ変換器、
２９…第１のループフィルタ（ウォブルバンドパスフィルタ）、
３０…第１のＰＬＬ回路、
３１…ランドプリピット信号検出用コンパレータ、
３２…ランドプリピットデータ復調回路、
４０…第２のＰＬＬ回路、
４１…ウォブル位相検出器、４２…ウォブル位相比較器、
４３…ウォブルループフィルタ演算器、
４４…シンクビット位相検出器、４５…シンクビット位相比較器、
４６…第２のループフィルタ（シンクビットループフィルタ演算器）、
４７…操作量加算演算器、４８…ＤＡ変換器、
４９…アナログ電圧可変発振器（ＶＣＯ）、５０…データパルス生成回路、
Ｂ…ビームスポット、Ｄ…データ領域。
【図１】
0003956650.tif 000002
【図２】
0003956650.tif 000003
【図３】
0003956650.tif 000004
【図４】
0003956650.tif 000005
【図５】
0003956650.tif 000006
【図６】
0003956650.tif 000007
【図７】
0003956650.tif 000008
【図８】
0003956650.tif 000009
【図９】
0003956650.tif 000010
【図１０】
0003956650.tif 000011